(57)【要約】【課題】操作コードの汚れを防止することができ、操作コードが複数近接して存在する場合に、互いの操作コードの絡み合いを防止することができるブラインドとする。【解決手段】ヘッドボックス（１０）に複数の遮蔽材（１２、１４）をそれぞれ吊下げ、各遮蔽材（１２、１４）に、ヘッドボックス（１０）から昇降可能に垂下される複数本の昇降コード（１６、１８）の一端部を連結し、該複数本の昇降コード（１６、１８）の他端部をヘッドボックス（１０）から垂下して操作部（１６ａ、１８ａ）とする。そして、操作部（１６ａ、１８ａ）を構成する複数本の昇降コード（１６、１８）の他端部の少なくとも一部分を筒状部材（２０、２２）によって包囲する。【選択図】  図１
2004202096.tif 000002
【特許請求の範囲】
【請求項１】
ヘッドボックスから遮蔽材を吊下げ、複数本の操作コードを操作することによって遮蔽材の開閉を行うようにしたブラインドにおいて、
複数本の操作コードの少なくともそれらの一部分をまとめて筒状部材によって包囲することを特徴とするブラインド。
【請求項２】
ヘッドボックスから遮蔽材を吊下げ、遮蔽材にヘッドボックスから昇降可能に垂下される複数本の昇降コードの一端部を連結し、該複数本の昇降コードの他端部をヘッドボックスから垂下して操作部とするブラインドにおいて、
前記操作部を構成する前記複数本の昇降コードの他端部の少なくともそれらの一部分をまとめて筒状部材によって包囲することを特徴とするブラインド。
【請求項３】
ヘッドボックス（１０）から複数の遮蔽材（１２、１４）をそれぞれ吊下げ、各遮蔽材（１２、１４）に、ヘッドボックス（１０）から昇降可能に垂下される複数本の昇降コード（１６、１８）の一端部を連結し、該複数本の昇降コード（１６、１８）の他端部をヘッドボックス（１０）から垂下して操作部（１６ａ、１８ａ）とするブラインドにおいて、
少なくとも１つの遮蔽材（１２、１４）に対応する操作部（１６ａ、１８ａ）を構成する前記複数本の昇降コード（１６、１８）の他端部の少なくともそれらの一部分をまとめて筒状部材（２０、２２）によって包囲することを特徴とするブラインド。
【請求項４】
複数本の昇降コードの操作部にそれぞれツマミ（１６ｂ、１８ｂ）を設け、複数のツマミ（１６ｂ、１８ｂ）同士を補助コード（２４）によって連結することを特徴とする請求項３記載のブラインド。
【発明の詳細な説明】
【０００１】
【発明の属する技術分野】
本発明は、ヘッドボックスから遮蔽材を吊下げ、複数本の操作コードを操作することによって遮蔽材の開閉を行うようにしたブラインドにおいて、改良された操作部を持つブラインドに関する。
【０００２】
【従来の技術】
従来、この種のブラインドとしては多くの公知例が存在しており、複数本の操作コードで構成される単数の操作部及び複数の操作部を有するものが知られている（例えば、複数の操作部を有するブラインドとして特許文献１参照。）。
【０００３】
特許文献１に示されるブラインドは、ヘッドレールの前後の壁に第１の生地及び第２の生地を取り付けることにより多重生地使いのローマンシェードとしたものであり、ヘッドレールから昇降可能に垂下される第１の昇降コードの一端及び第２の昇降コードの一端が、それぞれ第１の生地及び第２の生地に連結され、第１の昇降コードの他端及び第２の昇降コードの他端が操作部を構成している。特許文献１に示されるブラインドでは、これらの２つの操作部は、ヘッドレールの両端部に分かれてそれぞれ配置されている。また、各操作部には操作の際にユーザが手で掴むためのツマミが設けられている。
【０００４】
【特許文献１】
特開２００１−２１１９９３号公報
【０００５】
【発明が解決しようとする課題】
しかしながら、かかる従来のブラインドにおいては、ユーザはツマミを持たずに直接昇降コードを持って操作することも多く、そのために、昇降コードが汚れやすいという問題がある。ツマミが汚れた場合には、簡単に交換することができるが、昇降コードのような配回しがなされている操作コードが汚れた場合には、その交換作業は困難である。
【０００６】
また、引用文献１で示したように複数の操作部がある場合に、各操作部がヘッドレールの両端部に分かれていると、両方の生地を操作するためには、ユーザがいちいち移動しなければならず、煩わしいという問題があり、操作部をヘッドレールの片側に集めることも考えられる。しかしながら、その場合には、複数の操作部が近接することになり、昇降コードである操作コードが絡み合いやすくなるという問題がある。
【０００７】
本発明はかかる課題に鑑みなされたもので、第１の目的は、操作コードの汚れを防止することができるブラインドを提供することである。
【０００８】
また、第２の目的は、操作コードが複数近接して存在する場合に、互いの操作コードの絡み合いを防止することができるブラインドを提供することである。
【０００９】
【課題を解決するための手段】
前述した目的を達成するために、請求項１記載の発明は、ヘッドボックスから遮蔽材を吊下げ、複数本の操作コードを操作することによって遮蔽材の開閉を行うようにしたブラインドにおいて、複数本の操作コードの少なくともそれらの一部分をまとめて筒状部材によって包囲することを特徴とする。
【００１０】
この構成により、遮蔽材の開閉操作を行う際に、操作コードを直接持つ代わりに、筒状部材を持って操作することができるため、操作コードの汚れを防止することができる。筒状部材は操作コードと異なり、簡単に交換することができる。また、筒状部材によって複数本の操作コードの間に隣接する物体が侵入することを阻止できるために、複数本の操作コードが隣接する物と絡み合うことを防止することができる。
【００１１】
請求項２記載の発明は、ヘッドボックスから遮蔽材を吊下げ、遮蔽材にヘッドボックスから昇降可能に垂下される複数本の昇降コードの一端部を連結し、該複数本の昇降コードの他端部をヘッドボックスから垂下して操作部とするブラインドにおいて、前記操作部を構成する前記複数本の昇降コードの他端部の少なくともそれらの一部分をまとめて筒状部材によって包囲することを特徴とする。この構成により、遮蔽材の開閉操作を行う際に、昇降コードを直接持つ代わりに、筒状部材を持って操作することができるため、昇降コードの汚れを防止することができる。昇降コードは、ヘッドボックスを通して配回されて、遮蔽材に連結されるために、交換は簡単ではないが、筒状部材は昇降コードと異なり、汚れたとしても簡単に交換することができる。また、筒状部材によって複数本の昇降コードの間に隣接する物体が侵入することを阻止できるために、複数本の昇降コードからなる操作部が隣接する物と絡み合うことを防止することができる。
【００１２】
請求項３記載の発明は、ヘッドボックスから複数の遮蔽材をそれぞれ吊下げ、各遮蔽材に、ヘッドボックスから昇降可能に垂下される複数本の昇降コードの一端部を連結し、該複数本の昇降コードの他端部をヘッドボックスから垂下して操作部とするブラインドにおいて、少なくとも１つの遮蔽材に対応する操作部を構成する前記複数本の昇降コードの他端部の少なくともそれらの一部分をまとめて筒状部材によって包囲することを特徴とする。この構成により、遮蔽材の開閉操作を行う際に、昇降コードを直接持つ代わりに、筒状部材を持って操作することができるため、昇降コードの汚れを防止することができる。昇降コードは、ヘッドボックスを通して配回されて、遮蔽材に連結されるために、交換は簡単ではないが、筒状部材は昇降コードと異なり、汚れたとしても簡単に交換することができる。また、筒状部材によって複数本の昇降コードの間に隣接する物体が侵入することを阻止できるために、複数本の昇降コードからなる操作部が隣接する物と絡み合うことを防止することができ、さらには、複数本の昇降コード同士、即ち複数の操作部同士が絡み合うことを防止することができる。
【００１３】
請求項４記載の発明は、請求項３記載のものにおいて、複数本の昇降コードの操作部にそれぞれツマミを設け、複数のツマミ同士を補助コードによって連結することを特徴とする。補助コードによって、複数の操作部が規制されて自由に移動することができないために、操作部の絡み合いを一層確実に防止することができる。
【００１４】
【発明の実施の形態】
以下、図面を用いて本発明の実施の形態を説明する。尚、以下の実施形態は本発明を限定するものではない。
【００１５】
図１は本発明の実施形態に係るブラインドを表す正面図、図２はその遮蔽材を除く斜視図である。ブラインドとしては、ベネシャンブラインド、プリーツスクリーン、ローマンシェード等の任意の複数本の操作コードによって操作するブラインドについて適用することができ、操作コードは昇降コードのみならず角度調整コードにも適用することができる。この実施形態では、ローマンシェードを例にとって説明する。
【００１６】
図において、１０はヘッドボックスであり、ブラケット１１によって窓枠や壁面等に固定されるものである。ヘッドボックス１０の前壁には、第１遮蔽材である第１の生地１２の上端が固着され、ヘッドボックス１０の後壁には、第２遮蔽材である第２の生地１４の上端が固着され、それぞれヘッドボックス１０から第１の生地１２と第２の生地１４とが吊り下げられている。第１の生地と第２の生地とは、それぞれ異なる柄・色としたり、異なる遮蔽率を持つものとしたりして、任意の組合せとすることができる。
【００１７】
第１の生地１２及び第２の生地１４に沿って、それぞれの上下方向にヘッドボックス１０から垂下される昇降コード１６、１８が配設される。昇降コード１６、１８は、それぞれ各生地１２、１４の幅方向に適宜離間されて複数設けられる。昇降コード１６、１８の一端は、各生地１２、１４の上下方向に離間して適宜固定された挿通リング２６を挿通して、最下端の挿通リング１５または生地下端に設けられたウエイトバー１３、１５に連結される。
【００１８】
複数本の昇降コード１６は、ヘッドボックス１０内をガイドリング２８によってその長手方向に導かれて、ストッパー１７を経た後、その他端は、ヘッドボックス１０の一端（図１において右側）からヘッドボックス１０を導出されて、まとめてツマミ１６ｂに連結される。こうして、ヘッドボックスから導出された部分は、ツマミ１６ｂを含めて操作部１６ａとなる。複数本の昇降コード１８についても同様であり、ヘッドボックス１０内をその長手方向に導かれてストッパー１９を経た後、その他端は、ヘッドボックス１０の一端（図１において右側）からヘッドボックス１０を導出されて、まとめてツマミ１８ｂに連結される。こうして、ヘッドボックスから導出された部分は、ツマミ１８ｂを含めて操作部１８ａとなる。
【００１９】
それぞれ昇降コード１６、１８の操作部１６ａ、１８ａは、ツマミ１６ｂ、１８ｂ以外の部分において、筒状部材２０、２２に包囲される。筒状部材２０、２２は、例えば、軟質合成樹脂からなるチューブから構成することができる。各筒状部材に、同じ生地を昇降する複数本の昇降コードがまとめて挿入される。筒状部材２０、２２は、特に、そのツマミ１６ｂ、１８ｂによって、その下端位置が制限されており、つまり脱落が防止されているが、特に、ツマミまたはコードに結合する必要はない。また、その長さは、生地が完全に下降しており、即ち、操作部１６ａ、１８ａのツマミ１６ｂ、１８ｂが最大に上昇しているときのツマミ１６ｂ、１８ｂとヘッドボックス１０との間の距離Ｌと同じ程度またはそれ以下にしておくと、該筒状部材２０、２２がヘッドボックス１０と干渉せずに、好ましい。但し、筒状部材２０、２２を多少なりとも、その軸方向に伸縮可能な材料で構成することもでき、その場合には、筒状部材２０、２２が最も収縮した状態における長さが、前記距離Ｌと同じ程度またはそれ以下にすると、筒状部材２０、２２がヘッドボックス１０と干渉せずに、好ましい。
【００２０】
また、ツマミ１６ｂ、１８ｂは、補助コード２４によって互いに連結されている。
【００２１】
以上のように構成されるブラインドにおいて、生地１２、１４の昇降を行う際には、対応する生地の操作部１６ａ、１８ａを手で掴んで、下方へと引っ張りストッパー１７、１９を解除すると、昇降コード１６、１８を移動させて、対応する生地１２、１４を昇降させることが可能になる。このとき、筒状部材２０、２２を持って操作することにより、昇降コード１６、１８に直接触れずに操作を行うことができる。こうして、昇降コード１６、１８の汚れを防止することができる。
【００２２】
また、筒状部材２０、２２が昇降コード１６、１８を包囲することにより、両者のコードが絡み合うことが防止される。例えば、筒状部材２０、２２が存在していないと、複数本の昇降コード１６の間をツマミ１８ｂが通り抜けることがあり、さらに、複数回通り抜けたりすると、複雑に絡み合って、容易に解除することができないようになるが、筒状部材２０、２２があることによって、そのような複数本の昇降コード１６、１８間への物体の浸入が不可能となる。こうして、確実に昇降コード１６、１８の操作部１６ａ、１８ａにおける絡み合いを防止することができる。
【００２３】
また、ツマミ１６ｂ、１８ｂ同士が補助コード２４によって連結されているために、ツマミ１６ｂ、１８ｂの運動が規制されて自由に移動することができず、操作部１６ａ、１８ａの絡み合いをさらに一層確実に防止することができる。
【００２４】
尚、以上の実施形態では、複数の遮蔽材を有するブラインドについて説明したが、これに限るものではなく、１枚の遮蔽材を有するブラインドについても複数本の操作コードから操作部が構成される場合には同様に、複数本の操作コードの間に隣接するコード等と絡み合うおそれがあり、筒状部材によって包囲することが効果的となる。また、筒状部材によって操作コードの汚れを防止することができる。
【００２５】
【発明の効果】
以上説明したように本発明によれば、筒状部材によって、複数本の操作コードまたは複数本の昇降コードからなる操作部の汚れを防止することができる。また、複数本の操作コードまたは複数本の昇降コードからなる操作部が、隣接する物または隣接する複数本の操作コードまたは複数本の昇降コードからなる操作部と絡み合うことを防止することができる。
【図面の簡単な説明】
【図１】本発明の実施形態によるブラインドの正面図である。
【図２】本発明の実施形態によるブラインドの遮蔽材を除いた斜視図である。
【図３】本発明の実施形態によるブラインドの操作部の拡大図である。
【符号の説明】
１０  ヘッドボックス
１２、１４  遮蔽材
１６、１８  昇降コード
１６ａ、１８ａ  操作部
１６ｂ、１８ｂ  ツマミ
２０、２２  筒状部材
２４  補助コード
【図１】
2004202096.tif 000003
【図２】
2004202096.tif 000004
【図３】
2004202096.tif 000005